(57)【要約】【課題】身体の表面に対して斜入する方向に、一定時間継続して一定の大きさの圧力を加えることが可能であることで、fasciaの癒着を十分に消失し得るマッサージ用治具を提供する。【解決手段】可撓性材２と、可撓性材２を保持する保持体３を備え、可撓性材２は、身体に接触する２Ａと、保持体３に保持される保持端２Ｂと、接触端２Ａと保持端２Ｂの間に形成される体部２Ｃからなり、保持体３は、保持端２Ｂが取り付けられる取付部８と、取付部８に連結される電動部９と、電動部９を収容する筐体１０を備え、接触端２Ａを身体の表面に接触させた場合に、電動部９が取付部８を介し保持端２Ｂを表面に対して平行に往復運動させる。【選択図】図１
2020058655.tif 000002
【特許請求の範囲】
【請求項１】
身体をマッサージするためのマッサージ用治具であって、
可撓性材と、この可撓性材を保持する保持体を備え、
前記可撓性材は、前記身体に接触する接触端と、前記保持体に保持される保持端と、前記接触端と前記保持端の間に形成される体部からなり、
前記保持体は、前記保持端が取り付けられる取付部と、この取付部に連結される電動部と、前記取付部及び前記電動部のうち、少なくとも前記電動部を収容する筐体を備え、
前記接触端を前記身体の表面に接触させた場合に、前記電動部が前記取付部を介し前記保持端を前記表面に対して往復運動させることで、前記体部が交互に逆方向に撓んで前記接触端から前記表面に対して周期的に力が加えられ、この力が複数種類の生体組織が多層状に積層されてなる前記身体の深さ方向に伝達されて前記身体に形成された前記生体組織同士の癒着を解消可能に構成されることを特徴とするマッサージ用治具。
【請求項２】
前記可撓性材は、平板状に形成され、
前記保持端は、前記可撓性材の最大面が前記往復運動に直交するように前記取付部に取り付けられ、
前記接触端は、正面視で、面取りされてなる第１の頂部が形成され、
この第１の頂部は、前記可撓性材の幅方向に平行な第１の辺を備え、先細形状をなすことを特徴とする請求項１に記載のマッサージ用治具。
【請求項３】
前記電動部は、軸体を回動させる回動モーターと、前記軸体に支持されるピニオンと、前記筐体の内壁に支持されて前記ピニオンが噛み合うラックを備えるラックアンドピニオン機構であり、
前記ラックは、前記軸体の軸方向と直交する方向に前記往復運動を行い、
前記取付部は、前記ラックに固定されて、このラックとともに前記往復運動を行うことを特徴とする請求項１又は請求項２に記載のマッサージ用治具。
【請求項４】
前記電動部は、軸体を回動させる回動モーターと、前記軸体のまわりを回動するクランクアームと、このクランクアームの一端に設けられるクランクピンと、このクランクピンに連結されるスライダーを備えるクランク機構であり、
前記取付部は、前記スライダーの他端に接続されて、前記往復運動を行うことを特徴とする請求項１又は請求項２に記載のマッサージ用治具。
【請求項５】
前記可撓性材は、シリコンゴムであり、そのタイプＡ硬度は２０度乃至８０度であることを特徴とする請求項１乃至請求項４のいずれか１項に記載のマッサージ用治具。
【請求項６】
前記保持端は、正面視で、面取りされてなる第２の頂部が形成され、
この第２の頂部は、前記可撓性材の前記幅方向に平行な第２の辺を備え、
前記第２の辺の長さは、前記第１の辺の長さ以上であり、
前記取付部は、前記第１の頂部と、前記第２の頂部を入れ替えて嵌合可能な二段式の嵌合部が形成されることを特徴とする請求項２に記載のマッサージ用治具。
【発明の詳細な説明】
【技術分野】
【０００１】
本発明は、マッサージ用治具に係り、特に、身体に接触させた可撓性材を撓ませるように往復運動させることでマッサージを行うことができるマッサージ用治具に関する。
【背景技術】
【０００２】
従来、凝りや痛み等の不快な症状が発生した身体の患部に、弾性を有する柔軟性材からなるヘッドを押し当ててマッサージを行うことができるマッサージ用治具が使用されてきた。
このような治療に用いられるマッサージ用治具として、例えば、特許文献１のように、「ハンド式電動按摩機」という名称で、ヘッドを電動で振動させることのできる持ち運び可能な電動按摩機に関する考案が開示されている。
特許文献１に開示された考案は、ハンドケースと、このハンドケースの先端部に連結発条を介して連結される振動ヘッドを備え、この振動ヘッドは、フレキシブルに搖動自在に振動可能であり、前後両端部に適宜の曲率を有して形成する湾曲面と、この湾曲面よりも大きな曲率で形成された突起部と、一方の面が弾性体で滑らかに形成されるとともに、他方の面が多数個の小突起群が突設されてなる球面部からなることを特徴とする。
【０００３】
このような特徴を有する考案においては、振動する振動ヘッドを患部に当接させることにより、患部に刺激を与えて血行を促すというマッサージ作用が得られる。詳細には、湾曲部を患部に当接させると、身体の中深部、すなわち肩、腰、大腿部を刺激する作用が得られる。また、突起部を患部に当接させると、患部の深部に加え経穴を刺激する作用が得られる。さらに、球面部の一方の面と他方の面を当接させると、広範囲に亘って、それぞれソフトなマッサージ効果と表皮部を刺激する作用が得られる。
【０００４】
次に、特許文献２には「バス運動、ローリング運動による多目的電動消しゴム機」という名称で、電動消しゴム機のほか電動指圧マッサージ機としても使用できる多目的電動消しゴム機に関する考案が開示されている。
以下、特許文献２に開示された考案について説明する。特許文献２に開示された考案は、変換機構にて、モーターの回転運動を取付軸のバス運動、またはローリング運動に変換し、取付軸に消しゴムカートリッジを取り付けて電動消しゴム機として使用するほか、変換機構にて、モーターの回転運動を取付軸のバス運動に変換し、取付軸に指圧用カートリッジを取り付けて指圧マッサージ機として使用することを特徴とする。
このような特徴を有する考案においては、取付軸へゴムカートリッジの代わりに指圧用カートリッジを取り付けることで、バス運動により、指圧用カートリッジの先方で凝った患部を押し指圧することができる。
【先行技術文献】
【特許文献】
【０００５】
【特許文献１】実開昭６３−９２６３２号公報
【特許文献２】実開平７−７９３号公報
【発明の概要】
【発明が解決しようとする課題】
【０００６】
しかしながら、最近の研究により、身体に発生する疼痛や痺れは、図１１に示すように、身体を構成する異なる種類の組織である筋膜、靭帯、神経鞘や皮下組織（これらの組織を総称してfasciaという。）が、互いに癒着して滑走不全となることによって発生することがわかってきた。なお、図１１は、身体の表面から深さ方向に沿ったfasciaの縦断面図である（出典：木村、高木、並木、小林、「解剖・動作・エコーで導くFasciaリリースの基本と臨床―筋膜リリースからFasciaリリースへ」、文光堂）。
上記fasciaの癒着は、エコー検査によれば重積した高エコー像として描出される。そのため、fasciaの癒着を解消する方法として、現在では医療機関において、医師がエコー下で確認しながら癒着している部分に針を刺し生理食塩水を注入することが行われている。この手技によれば、生理食塩水を注入することで癒着している組織の一方が他方から浮き、剥がされることになる。その結果、組織間の滑走性が改善し、疼痛や痺れを消失させることができる。なお、このような医師による手技を、fascia hydro releaseという。
しかしながら、fascia hydro releaseは、医師のみが実施し得る医療行為であるから、疼痛等を感じた場合でも、直ちに医療機関を受診して治療を受けることができない場合もある。また、上記手技は、患者によってはある程度の割合で再癒着が発生するため、この再癒着を防止し得る有用なツールが必要である。さらに、上記手技は、観血的であるから、非観血的に侵襲性の少ない方法で疼痛等を解消でき、さらに医師以外の者による施術や、患者自身のセルフケアが可能なツールが必要であると考えられる。
【０００７】
そこで、医師によらずとも、手軽に、かつ非侵襲的にfasciaの癒着を消失させて疼痛等を解消し得るマッサージ方法と、このマッサージ方法を行うツールとしてのマッサージ治具が開発されることが望まれている。
このようなマッサージ方法として、例えば、身体の表面に対して斜入する方向に、一定時間継続して一定の大きさの力を加えることが検討されている。斜入する方向に継続して加えられた力がfasciaの深さ方向に伝達されることにより、癒着している組織の一方を他方から浮かして剥がすように作用すると考えられるためである。よって、マッサージ治具としては、上記の作用を実現可能な構成であることが必要である。
【０００８】
上記作用を実現可能であるか否かに関し、特許文献１及び２に開示された発明を検討すると、まず特許文献１に開示された発明においては、振動する振動ヘッドを患部に当接させて刺激を与えることから、振動ヘッドを皮膚の上側からほぼ垂直に断続的に繰り返し衝突させ、その衝撃を身体内部に伝達させるという作用を発揮するものと考えられる。すなわち、特許文献１に開示された発明は、fasciaの癒着部分全体を専ら上方から圧迫するように作用するのであって、癒着している組織の一方を他方から浮かして剥がすこととは異なった作用を発揮するものであると判断できる。
したがって、特許文献１に開示された発明によれば、fasciaの癒着を十分に消失させることは困難であるものと考えられる。
次に、特許文献２に開示された発明においても、バス運動により、指圧用カートリッジの先方で凝った患部を押し指圧するという作用を発揮するので、特許文献１に開示された発明と同様に、fasciaの癒着を十分に消失することは困難であるものと考えられる。
【０００９】
本発明は、このような従来の事情に対処してなされたものであり、身体の表面に対して斜入する方向に、一定時間継続して一定の大きさの圧力を加えることが可能であることで、fasciaの癒着を十分に消失し得るマッサージ用治具を提供することを目的とする。
【課題を解決するための手段】
【００１０】
上記目的を達成するため、第１の発明は、身体をマッサージするためのマッサージ用治具であって、可撓性材と、この可撓性材を保持する保持体を備え、可撓性材は、身体に接触する接触端と、保持体に保持される保持端と、接触端と保持端の間に形成される体部からなり、保持体は、保持端が取り付けられる取付部と、この取付部に連結される電動部と、取付部及び電動部のうち、少なくとも電動部を収容する筐体を備え、接触端を身体の表面に接触させた場合に、電動部が取付部を介し保持端を表面に対して往復運動させることで、体部が交互に逆方向に撓んで接触端から表面に対して周期的に力が加えられ、この力が複数種類の生体組織が多層状に積層されてなる身体の深さ方向に伝達されて身体に形成された生体組織同士の癒着を解消可能に構成されることを特徴とする。
このような構成の発明において、可撓性材として、合成樹脂製の柔軟性を有する弾性体が適しており、具体的には、例えば消しゴムとして使用される合成ゴムが考えられる。また、保持体の取付部としては、硬質の合成樹脂が考えられる。
【００１１】
上記構成の発明においては、可撓性材の接触端を身体の表面に接触させた場合に、電動部が保持端を表面に対して往復運動させると、摩擦によって接触端が身体の表面を滑ることが抑制されるから、体部が往復運動の進行方向側へ凸となるように屈曲する。この状態で往復運動が継続すると、体部が交互に逆方向に撓むから、可撓性材が元の屈曲していない状態に戻ろうとする復元力によって、接触端は表面を掘り下げる力を発生させることとなる。したがって、電動部は、接触端を介し、表面の深さ方向に対して交互に逆向きの力を加えることができる。
この力は、身体の深さ方向、すなわちfasciaの深さ方向に伝達されることにより、癒着している生体組織の一方を他方から浮かして剥がすように作用すると考えられる。
なお、電動部は、軸体を回動させる回動モーターと、軸体の回動運動を取付部の往復運動に変換する運動変換機構を備えており、この運動変換機構としては、ラックアンドピニオン機構や、クランク機構、遊星歯車機構等が考えられる。
【００１２】
次に、第２の発明は、第１の発明において、可撓性材は、平板状に形成され、保持端は、可撓性材の最大面が往復運動に直交するように取付部に取り付けられ、接触端は、正面視で、面取りされてなる第１の頂部が形成され、この第１の頂部は、可撓性材の幅方向に平行な第１の辺を備え、先細形状をなすことを特徴とする。
このような構成の発明においては、第１の発明の作用に加えて、平板状に形成された可撓性材の最大面が往復運動に直交するため、取付部が往復運動した際に、体部が容易に屈曲し、撓みの程度も強くなる。よって、上述の復元力が増大して身体の表面に対し効率的に力が加えられることになる。
また、第１の頂部を正面視で先細形状をなすように形成したのは、人間の指先の形状に類似させるためである。この先細形状により、身体の表面で狭い面積を占める部分に対し、接触端が正確に接触する。
したがって、第２の発明においては、接触端を介し、狭い表面の深さ方向に対してピンポイントに力が伝達され、その部分のfasciaの癒着が十分に消失する。
【００１３】
続いて、第３の発明は、第１又は第２の発明において、電動部は、軸体を回動させる回動モーターと、軸体に支持されるピニオンと、筐体の内壁に支持されてピニオンが噛み合うラックを備えるラックアンドピニオン機構であり、ラックは、軸体の軸方向と直交する方向に往復運動を行い、取付部は、ラックに固定されて、このラックとともに往復運動を行うことを特徴とする。
このような構成の発明においては、回動モーターは、軸体の回動方向を同一方向のみとするもの、又は一定時間毎に正逆方向を自動的に切り替え可能なものが使用される。前者では、例えば、ピニオンが欠歯車であり、２本のラックが欠歯車を挟んで対向配置される二重ラック欠歯車往復運動機構が考えられる。
上記構成の発明においては、取付部は、回動モーターが軸体を回動させると、ラックとともに往復運動を行うことになるので、取付部に取り付けられた可撓性材の接触端を身体の表面に接触させた場合に、体部が互いに逆方向に屈曲して交互に撓む。よって、第３の発明においても、第１又は第２の発明の作用と同様の作用が発揮される。
【００１４】
さらに、第４の発明は、第１又は第２の発明において、電動部は、軸体を回動させる回動モーターと、軸体のまわりを回動するクランクアームと、このクランクアームの一端に設けられるクランクピンと、このクランクピンに連結されるスライダーを備えるクランク機構であり、取付部は、スライダーの他端に接続されて、往復運動を行うことを特徴とする。
このような構成の発明においても、取付部は、軸体の回動に伴いスライダーの他端とともに往復運動を行うことになるので、第１又は第２の発明の作用と同様の作用が発揮される。
【００１５】
そして、第５の発明は、第１乃至第４のいずれかの発明において、可撓性材は、シリコンゴムであり、そのタイプＡ硬度は２０度乃至８０度であることを特徴とする。
このような構成の発明において、タイプＡ硬度とは、ＪＩＳ  Ｋ  ６２５３  で規定される、一般的な中硬さゴム材料用である「タイプＡ」のデュロメータを用いて計測した場合におけるゴムの硬度の値である。
上記構成の発明においては、第１乃至第４のいずれかに記載の発明の作用に加えて、シリコンゴムは、弾性に優れ、粘着性がなく、また化学的に安定し無味無臭であって電気絶縁性も高いことから、生体に対する安全性が高い。また、タイプＡ硬度が２０度乃至８０度と広範囲であるため、身体の部位や痛み等の症状に応じて適切な硬度のものが選択される。
【００１６】
そして、第６の発明は、第２の発明において、保持端は、正面視で、面取りされてなる第２の頂部が形成され、この第２の頂部は、可撓性材の幅方向に平行な第２の辺を備え、第２の辺の長さは、第１の辺の長さ以上であり、取付部は、第１の頂部と、第２の頂部を入れ替えて嵌合可能な第１の嵌合部及び第２の嵌合部が形成されることを特徴とする。
このような構成の発明において、第２の頂部の第２の辺の長さは、第１の辺の長さ以上である。これは、背中や臀部といった、身体の表面で広い面積を占める部分に対し、第２の辺が一度に接触し得ることを目的としたものである。
上記構成においては、第２の発明の作用に加えて、取付部に第１の嵌合部及び第２の嵌合部が形成されることで、１つの取付部によって接触端と保持端の双方を入れ替えて保持できる。
【発明の効果】
【００１７】
第１の発明によれば、接触端を介し、表面に対して斜入する方向に周期的に力を加えることができ、この力は、fasciaの深さ方向に伝達されることにより、癒着している生体組織の一方を他方から浮かして剥がすように作用することで、身体の表面の深さ方向に形成されている癒着を十分に消失させることができる。そのため、身体に発生する疼痛や痺れを解消可能である。
しかも、第１の発明によれば、医師でなくても非侵襲的に、また病院以外でも手軽に使用することができるので、非常に利便性及び有効性が高い。
【００１８】
第２の発明によれば、第１の発明の効果に加えて、接触端が先細形状をなすことで、狭い表面の深さ方向に形成されたfasciaの癒着が十分に消失するため、頚部や肋間といった部位の凝りや痛みを解消させることができる。
【００１９】
第３の発明によれば、第１又は第２の発明の効果に加えて、電動部としてラックアンドピニオン機構を採用することで、簡易な構成のマッサージ用治具を安価に製造することができる。
また、第３の発明は簡易な構成であるために軽量となるから、患者自身や、医療機関等の職員が把持する際に疲労感を覚えることなく、快適に使用することができる。
【００２０】
第４の発明によれば、電動部としてクランク機構を採用することで、第３の発明と同様な効果を発揮可能である。
【００２１】
第５の発明によれば、第１乃至第４のいずれかの発明の効果に加えて、シリコンゴムは、生体に対する安全性が高いから、身体の表面に接触させる可撓性材として好適である。また、シリコンゴムは、異なるタイプＡ硬度や厚みを有する製品が市場に出回っているため、入手が容易である。
【００２２】
第６の発明によれば、第２の発明の効果に加えて、１つの取付部によって接触端と保持端の双方を簡単に入れ替えて保持できる点が便利である。よって、先細形状をなす第１の頂部と、先細形状でない第２の頂部を、所望のタイミングで身体の表面にそれぞれ接触させることができる。したがって、身体の表面を占める面積の広狭に関わらず、１個の可撓性材を用いてfasciaの癒着を消失させることができる。
【図面の簡単な説明】
【００２３】
【図１】（ａ）は実施例に係るマッサージ用治具の正面図であり、（ｂ）は（ａ）におけるＡ方向矢視図である。
【図２】（ａ）及び（ｂ）は実施例に係るマッサージ用治具を構成する可撓性材の一例についての正面図及び側面図であり、（ｃ）及び（ｄ）はそれぞれ可撓性材の他の例についての正面図である。
【図３】実施例に係るマッサージ用治具の作用を説明するための模式図である。
【図４】（ａ）及び（ｂ）は、それぞれ実施例に係るマッサージ用治具を、身体表面の表層fasciaに対して使用した前後におけるエコー検査の画像である。
【図５】（ａ）及び（ｂ）は、それぞれ実施例に係るマッサージ用治具を、身体表面の深層fasciaに対して使用した前後におけるエコー検査の画像である。
【図６】（ａ）及び（ｂ）は、それぞれ実施例に係るマッサージ用治具を、臀部の脈管構造である神経組織に対して使用した場合におけるエコー検査の画像である。
【図７】（ａ）及び（ｂ）は、それぞれ実施例に係るマッサージ用治具を、頚部の血管に対して使用した前後におけるエコー検査の画像である。
【図８】（ａ）及び（ｂ）は、それぞれ実施例に係るマッサージ用治具を、下腿の浮腫に対して使用した前後におけるエコー検査の画像である。
【図９】実施例の第１の変形例に係るマッサージ用治具を構成する可撓性材と取付部の正面図である。
【図１０】（ａ）は実施例の第２の変形例に係るマッサージ用治具の正面図であり、（ｂ）は（ａ）におけるＢ方向矢視図である。
【図１１】身体の表面から深さ方向に沿ったfasciaの縦断面図である。
【発明を実施するための形態】
【実施例】
【００２４】
本発明の実施の形態に係るマッサージ用治具について、図１乃至図１０を用いて詳細に説明する。図１（ａ）は実施例に係るマッサージ用治具の正面図であり、図１（ｂ）は図１（ａ）におけるＡ方向矢視図である。図２（ａ）及び図２（ｂ）は実施例に係るマッサージ用治具を構成する可撓性材の一例についての正面図及び側面図であり、（ｃ）及び（ｄ）はそれぞれ可撓性材の他の例についての正面図である。
図１（ａ）及び図１（ｂ）に示すように、実施例に係るマッサージ用治具１は、身体をマッサージするためのマッサージ用治具であって、可撓性材２と、この可撓性材２を保持する保持体３を備える。可撓性材２は、平板状に形成されたシリコンゴムであり、そのタイプＡ硬度は３０度乃至４０度である。このようなタイプＡ硬度は、一般的には、消しゴムとして使用されるシリコンゴムの硬度と同等であり、指で簡単に撓ませることができる程度のものである。
また、可撓性材２は、正面視で略長方形状に形成され、身体に接触する接触端２Ａと、保持体３に保持される保持端２Ｂと、接触端２Ａと保持端２Ｂの間に形成される体部２Ｃからなる。なお、可撓性材２の具体的なサイズは、図２（ａ）及び図２（ｂ）に示すとおりである。
【００２５】
図２（ａ）及び図２（ｂ）に示すように、接触端２Ａは、正面視で、面取りされてなる第１の頂部４が形成される。そして、この第１の頂部４は、可撓性材２の幅方向に平行な第１の辺４ａと、この第１の辺４ａの両端と可撓性材２の長軸方向に平行な長辺２ａ,２ａをそれぞれ結ぶ第１の斜辺４ｂ,４ｂからなり、指先の形状と同程度に尖っている先細形状をなす。
【００２６】
また、保持端２Ｂは、正面視で、面取りされてなる第２の頂部５が形成される。そして、この第２の頂部５は、可撓性材２の幅方向に平行な第２の辺５ａと、この第２の辺５ａの両端と長辺２ａ,２ａをそれぞれ結ぶ第２の斜辺５ｂ,５ｂからなり、先細形状をなす。
ここで、第２の辺５ａの長さは第１の辺４ａの長さと同等であるが、第２の辺５ａの両端と第２の斜辺５ｂ,５ｂがそれぞれなす第２の角θ２,θ２の大きさが、第１の辺４ａの両端と第１の斜辺４ｂ,４ｂがそれぞれなす第１の角θ１,θ１の大きさよりも大きいため、第２の頂部５は第１の頂部４と同程度に尖った先細形状とはなっていない。
ただし、第１の頂部４及び第２の頂部５においては、第１の角θ１の大きさと第２の角θ２の大きさの大小関係に関わらず、第２の辺５ａの長さが第１の辺４ａの長さ以上であれば良い。
【００２７】
また、図２（ｃ）及び図２（ｄ）に示すように、可撓性材２の代わりに、より長尺の可撓性材６、又は可撓性材７が使用されても良い。可撓性材６,７の具体的なサイズは、それぞれ図２（ｃ）及び図２（ｄ）に示すとおりであり、材質は可撓性材２と同一のシリコンゴムである。
【００２８】
再び図１（ａ）及び図１（ｂ）を用いて説明すると、保持体３は、保持端２Ｂが取り付けられる取付部８と、この取付部８に連結される電動部９と、取付部８を往復運動可能に露出する開口部１０ａが設けられるとともに電動部９を収容する筐体１０を備える。また、筐体１０には、図示しない配線を介して電動部９に電力を供給するバッテリー１１が収容される。なお、筐体１０には電動部９とともに取付部８のラック１４寄りの一部が収容されても良い。
取付部８は、先細形状の第２の頂部５を嵌合可能な凹形状をなす嵌合部８ａが形成される。しかし、第１の嵌合部８ａは、第１の頂部４を嵌合可能な形状に形成されても良い。
電動部９は、軸体１２ａを回動させる回動モーター１２と、軸体１２ａに支持されるピニオン１３と、このピニオン１３が噛み合う直線状のラック１４を備えるラックアンドピニオン機構である。
このうち、回動モーター１２は、図示しない固定部材によって筐体１０の内壁に固定されており、軸体１２ａの回動の正逆方向を一定時間毎に自動的に切り替え可能である。また、バッテリー１１も、図示しないケースに収納されることで、筐体１０の内部に収容されている。
【００２９】
また、図１（ｂ）に示すように、ラック１４は、基部１４ａと、ピニオン１３が噛み合う噛合面を有する噛合部１４ｂからなり、軸体１２ａの軸方向と直交する方向（図中のＸ方向）に沿って配置される。さらに、基部１４ａは、Ｘ方向に沿って筐体１０の内壁に固定される長尺のガイドレール１５の内部に収容されることで筐体１０の内壁に係止される。これにより、ラック１４は、軸体１２ａの正逆方向の回動に伴い、その軸方向と直交するＸ方向に沿って往復運動を行うとともに、筐体１０の内壁に支持されることでマッサージ用治具１を自在に動かしても噛合部１４ｂがピニオン１３から分離しないように構成される。
【００３０】
さらに、取付部８は、基端が噛合部１４ｂの外方の側面に、例えば図示しないネジによってネジ固定されている。そのため、取付部８は、ラック１４とともに図１（ａ）に示したＸ方向に沿って往復運動を行うことになる。なお、図１（ｂ）においては、Ｘ方向は、図の紙面奥行方向となる。
次に、保持端２Ｂは、平板状に形成された可撓性材２の最大面２ｂが上記の往復運動のＸ方向に直交するように取付部８に取り付けられている。そのため、接触端２Ａを身体の表面に接触させて取付部８を往復運動させた際に、体部２Ｃが容易に屈曲し、撓みの程度も強くなる。
【００３１】
次に、本発明の実施の形態に係るマッサージ用治具の作用について、図３を用いて詳細に説明する。図３は、実施例に係るマッサージ用治具の作用を説明するための模式図である。なお、図１及び図２で示した構成要素については、図３においても同一の符号を付して、その説明を省略する。
電動部９が稼働していない当初の、可撓性材２の接触端２Ａのうち、第１の頂部４の第１の辺４ａを身体の表面５０に接触させただけの場合、第１の辺４ａの厚み方向について上方から均等に力が加えられている。ところが、図２に示すように、この状態で、電動部９が取付部８を介し保持端２Ｂを表面５０に対して平行な横方向（図３中Ｘ１方向）へスライド移動させると、第１の表辺４ａは表面との摩擦によって表面５０をＸ１方向に沿って滑ることが抑制される。より詳細には、第１の辺４ａのうちで表面５０に接触する位置は、保持端２Ｂの進行方向（Ｘ１方向）側へ移動するものの、第１の辺４ａ自体がＸ１方向へスライド移動することはない。
一方で、保持端２Ｂは表面５０からの第２の辺５ａ（図３参照）までの高さが一定のままでＸ１方向へ移動するから、可撓性材２の体部２ＣがＸ１方向側へ凸となるように屈曲することになる。
【００３２】
体部２ＣがＸ１方向側へ凸となるように最大限屈曲した後、第１の短辺４ａを表面５０に接触させたままで、今度は電動部９が保持端２Ｂを表面５０に対してＸ１方向とは逆の横方向（図３中Ｘ２方向）へ平行にスライド移動させると、体部２Ｃが元の屈曲していない形状に復元しようとする。そのため、第１の辺４ａにおいては、上記の復元力を伝達する位置、すなわち第１の辺４ａのうちで表面５０に接触する位置が保持端２Ｂの進行方向（Ｘ２方向）側へ移動しようとする。
したがって、接触端２Ａを側面視するとき、体部２Ｃが元の屈曲していない状態に戻ろうとする復元力によって、接触端２Ａは表面５０を略円弧状に掘り下げる力Ｆ１を発生させることとなる。この力Ｆ１は、身体の深さ方向、すなわちfasciaの深さ方向に伝達されることにより、癒着している生体組織の一方を他方から浮かして剥がす効果を発揮すると考えられる。なお、このような効果をリフトアップ効果と称する。
【００３３】
次に、体部２ＣがＸ２方向側へ凸となるように最大限屈曲した後、電動部９が保持端２Ｂを表面５０に対して再びＸ１方向にスライド移動させると、接触端２Ａは表面５０を、力Ｆ１とは逆向きに略円弧状に掘り下げる力Ｆ２を発生させることとなる。
以降、電動部９による保持端２Ｂのスライド移動を繰り返して接触端２Ａを身体の表面５０に接触させた場合に、電動部９が取付部８を介し保持端２Ｂを表面５０に対して平行、すなわちＸ１方向及びＸ２方向に往復運動させることで、体部２Ｃが交互に逆方向に撓んで接触端２Ａの第１の辺４ａから表面５０に対して周期的に力Ｆ１,Ｆ２が加えられ、この力Ｆ１,Ｆ２が複数種類の生体組織が多層状に積層されてなる身体の深さ方向に伝達されてリフトアップ効果が発揮される。よって、身体に形成された生体組織同士の癒着を解消可能である。なお、表面５０の上方から加えられる力の大きさを、可撓性材２のタイプＡ硬度の値や、身体の部位、患者の症状又は状態を考慮して適宜調節することにより、接触端２Ａを表面５０に強く密着させたり、表面５０を滑らない程度に触れさせたりすることができる。
また、可撓性材２を表面５０に対して平行に往復運動させることで、指先では感じ取ることのできないfasciaの癒着を、可撓性材２を介した振動として触知することが可能となる。
【００３４】
続いて、マッサージ用治具１によるリフトアップ効果の実例について、図４乃至図８を用いて説明する。図４（ａ）及び図４（ｂ）は、それぞれ実施例に係るマッサージ用治具を、身体表面の表層fasciaに対して使用した前後におけるエコー検査の画像である。
図４（ａ）及び図４（ｂ）に示すように、腹部痛を訴える患者の腹部表層fasciaに対して、マッサージ用治具１による施術を実施した。なお、腹部の表面５０を押さえる力は表面５０が約１０ｍｍ程度凹む程度の強さとし、かつ取付部８がスライド移動する距離は体部２ＣがＸ１方向及びＸ２方向（それぞれ図３を参照）に沿ってそれぞれ最大で１ｃｍずつ撓むように設定した。また、腹部の表面５０には、指先状に先細形状をなす第１の頂部４の代わりに、第２の頂部５と同等の形状を有する第１の頂部（図示せず）を接触させた。
この結果、施術後の図４（ｂ）における皮下組織浅層の領域Ｓ１の面積が、施術前の図４（ａ）の同領域の面積よりも増大した。さらに、皮下組織深層の領域Ｓ２においては、重積した高エコー像（白色の高信号を示す箇所）として観察されるfasciaの癒着箇所がほぼ消失したことが認められた。このように、第２の頂部５と同等の形状を有する第１の頂部を接触させることにより、身体の表面で広い面積を占める部分に対し、接触端２Ａが一度に接触し得る。なお、患者においては、施術後に、腹部の柔軟性が改善するとともに腹部筋痛が消失した。
【００３５】
次に、図５（ａ）及び図５（ｂ）は、それぞれ実施例に係るマッサージ用治具を、身体表面の深層fasciaに対して使用した前後におけるエコー検査の画像である。
図５（ａ）及び図５（ｂ）に示すように、前腕及び手指の動き難さを訴える患者の前腕骨間筋膜に対して、マッサージ用治具１による施術を実施した。なお、前腕の表面５０を押さえる力は表面５０が約１０ｍｍ程度凹む程度の強さとし、かつ取付部８がスライド移動する距離は体部２ＣがＸ１方向及びＸ２方向（それぞれ図３を参照）に沿ってそれぞれ最大で１ｃｍずつ撓むように設定した。また、前腕の表面５０には、先細形状をなす第１の頂部４を接触させた。
この結果、施術後の図５（ｂ）における正中神経と橈骨と尺骨を結ぶ三角形の領域Ｓ３の面積が、施術前の図５（ａ）の同領域の面積よりも増大した。したがって、前腕骨間筋膜から橈骨の間のfasciaの癒着が改善したと判断することができ、表面５０から深部にかけて３ｃｍ程度までの癒着が改善されたものと考えられる。なお、患者においては、施術後に、前腕回内可動域及び手指屈曲可動域の拡大が確認された。
【００３６】
さらに、図６（ａ）及び図６（ｂ）は、それぞれ実施例に係るマッサージ用治具を、臀部の脈管構造である神経組織に対して使用した場合におけるエコー検査の画像である。
図６（ａ）及び図６（ｂ）に示すように、腰痛にて歩行困難を訴える患者の臀部に対して、マッサージ用治具１による施術を実施した。なお、臀部の表面５０を押さえる力は表面５０が約１０ｍｍ程度凹む程度の強さとし、かつ取付部８がスライド移動する距離は体部２ＣがＸ１方向及びＸ２方向（それぞれ図３を参照）に沿ってそれぞれ最大で１ｃｍずつ撓むように設定した。また、臀部の表面５０には、指先状に先細形状をなす第１の頂部４の代わりに、第２の頂部５と同等の形状を有する第１の頂部（図示せず）を接触させた。
この結果、施術後の図６（ｂ）における神経や血管が互いに引き剥がされてそれぞれの境界が明確になるとともに、神経や血管の領域Ｓ４の面積が、施術前の図６（ａ）の同領域の面積よりもそれぞれ増大した。このような効果を脈管ローリング効果と称する。なお、患者においては、施術後に、歩行困難を改善させる効果が確認された。
また、上記の脈管ローリング効果を透析用シャント血管に応用することで、シャント部の柔軟性を維持効果の改善、閉塞の予防、穿刺の容易性を改善する効果が期待できる。
【００３７】
次に、図７（ａ）及び図７（ｂ）は、それぞれ実施例に係るマッサージ用治具を、頚部の血管に対して使用した前後におけるエコー検査の画像である。
図７（ａ）及び図７（ｂ）に示すように、良性発作性頭位めまい症患者の頚部の内頚静脈に対して、マッサージ用治具１による施術を実施した。なお、頚部の表面５０を押さえる力は表面５０が約１〜３ｍｍ程度凹む程度の強さとし、かつ取付部８がスライド移動する距離は体部２ＣがＸ１方向及びＸ２方向（それぞれ図３を参照）に沿ってそれぞれ最大で１ｃｍずつ撓むように設定した。また、頚部の表面５０には、指先状に先細形状をなす第１の頂部４を接触させた。
この結果、施術後の図７（ｂ）における内頚静脈の領域Ｓ５の面積が、施術前の図７（ａ）の同領域の面積よりも増大した。したがって、同箇所の狭窄が改善され内頚静脈の内径が拡張した。このように、指先状に先細形状の第１の頂部４を接触させることにより、狭い表面５０の深さ方向に形成されたfasciaの癒着が十分に消失するため、頚部や肋間といった部位の凝りや痛みを解消させることができる。なお、患者においては、施術直後より、めまい症状の消失が確認された。また、頚部血管周囲については、安全性の観点からfascia hydro releaseを施行し難いので、マッサージ用治具１による癒着の解消効果が特に有効である。
【００３８】
続いて、図８（ａ）及び図８（ｂ）は、それぞれ実施例に係るマッサージ用治具を、下腿の浮腫に対して使用した前後におけるエコー検査の画像である。
図８（ａ）及び図８（ｂ）に示すように、浮腫を発症した患者の下腿に対して、マッサージ用治具１による施術を実施した。なお、下腿の表面５０を押さえる力は表面５０が約２〜３ｍｍ程度凹む程度の強さとし、かつ取付部８がスライド移動する距離は体部２ＣがＸ１方向及びＸ２方向（それぞれ図３を参照）に沿ってそれぞれ最大で１ｃｍずつ撓むように設定した。
この結果、施術後の図８（ｂ）におけるリンパ管や細静脈の領域Ｓ６の面積が、施術前の図８（ａ）同領域の面積よりもそれぞれ増大した。したがって、同箇所の狭窄が改善され、リンパ管及び血管を明確に観察可能となった。なお、患者においては、施術後に、浮腫の改善が確認された。
【００３９】
以上説明したように、マッサージ用治具１によれば、医療従事者や患者自身が可撓性材２を身体の表面５０に押し当てて、電動部９を作動させるという簡単な方法によって、リフトアップ効果や脈管ローリング効果をfasciaに形成された癒着に及ぼすことができる。
また、可撓性材２はタイプＡ硬度が３０度乃至４０度のシリコンゴムからなるため、可撓性材２を身体の表面５０に押し当てる場合にも痛みを感じる可能性が少なく、かつ柔軟性も良好である。よって、電動部９を作動させることによって体部２Ｃを大きく撓ませることができるので、リフトアップ効果等を効率良く発生させることができる。
【００４０】
さらに、マッサージ用治具１は、電動部９としてラックアンドピニオン機構が採用され簡易な構成であるために軽量である。よって、患者自身や、医療機関等の職員が把持する際に疲労感を覚えることなく、快適に使用することができる。すなわち、医師によらずとも、手軽に、かつ非侵襲的にfasciaの癒着を消失させて疼痛等を解消し得るマッサージ方法を実施することができる。
加えて、マッサージ用治具１によれば、接触端２Ａが指先状の先細形状をなすことで、狭い表面の深さ方向に形成されたfasciaの癒着が十分に消失するため、頚部や肋間といった部位の凝りや痛みを解消させることができる。これ以外にも、取付部８の嵌合部８ａの形状を第２の頂部５を嵌合可能なものに設計変更することで、表面５０の広い範囲にリフトアップ効果を及ぼすことができる。
【００４１】
次に、本発明の実施例の第１の変形例に係るマッサージ用治具について、図９を用いて説明する。図９は、実施例の第２の変形例に係るマッサージ用治具を構成する可撓性材と取付部の正面図である。なお、図１乃至図８で示した構成要素については、図９においても同一の符号を付して、その説明を省略する。
図９に示すように、本発明の実施例の第１の変形例に係るマッサージ用治具１ａ（図示せず）においては、マッサージ用治具１の取付部８の代わりに、取付部１６を備える。マッサージ用治具１ａにおけるこれ以外の構成は、マッサージ用治具１の構成と同様である。
【００４２】
取付部１６は、接触端２Ａの第１の頂部４と、保持端２Ｂの第２の頂部５を入れ替えて嵌合可能な二段式に凹形状をなす嵌合部１７が形成される。
詳細には、嵌合部１７には、第１の頂部４を嵌合するための奥行の深い第１の嵌合部１７ａと、第２の頂部５を嵌合するための奥行の浅い第２の嵌合部１７ｂが形成されている。
上記構成のマッサージ用治具１ａによれば、第１の嵌合部及び第２の嵌合部が形成されることで、１つの取付部１６によって接触端２Ａと保持端２Ｂの双方を入れ替えて保持できるので、便利である。マッサージ用治具１ａにおけるこれ以外の作用及び効果は、マッサージ用治具１の作用及び効果と同様である。
【００４３】
さらに、本発明の実施例の第２の変形例に係るマッサージ用治具について、図１０を用いて説明する。図１０（ａ）は実施例の第２の変形例に係るマッサージ用治具の正面図であり、図１０（ｂ）は図１０（ａ）におけるＢ方向矢視図である。なお、図１乃至図９で示した構成要素については、図１０においても同一の符号を付して、その説明を省略する。
図１０（ｂ）は図１０（ａ）に示すように、実施例の第２の変形例に係るマッサージ用治具１ｂは、マッサージ用治具１の電動部９の代わりに、電動部１８を備える。
電動部１８は、軸体１９ａを回動させる回動モーター１９と、軸体１９ａのまわりを回動するクランクアーム２０と、このクランクアーム２０の一端に設けられるクランクピン２１と、このクランクピン２１に一端２２ａが連結されるスライダー２２を備えるクランク機構である。
スライダー２２の他端２２ｂは、軸体１９ａと平行なピン２３が設けられ、このピン２３の先端２３ａは、軸体１９ａの回動に伴い筐体１０´の内壁に固定された長尺状のガイドレール２４の内部に設けられるスリット２４ａに沿ってスライドする。なお、筐体１０´は、筐体１０の形状を電動部１８を収容可能に設計変更したものであって、後述する取付部２５を往復運動可能に露出する開口部１０ａ´が設けられる。
【００４４】
さらに、マッサージ用治具１ｂは、上述のマッサージ用治具１の取付部８の代わりに、取付部２５を備える。取付部２５は、一端２６ａにスライダー２２の他端２２ｂがピン２３を介して接続される柄部２６と、この柄部２６の他端２６ｂに設けられ嵌合部２７ａが形成される嵌合体２７からなる。詳細には、柄部２６の一端２６ａはピン２３が貫通してこのピン２３と一体的に形成される。また、嵌合部２７ａはマッサージ用治具１の取付部８の嵌合部８ａと同様な凹形状をなす。
したがって、軸体１９ａの回動に伴い、スライダー２２の他端２２ｂに設けられるピン２３は、ガイドレール２４のスリット２４ａに沿って図１０（ａ）に示したＸ１方向及びＸ２方向に往復するスライド運動を行う。なお、図１０（ｂ）においては、Ｘ１方向及びＸ２方向は、図１０（ａ）の紙面奥行方向となる。
したがって、嵌合部２７ａに嵌合された可撓性材２の接触端２Ａを身体の表面５０に押し当てて、電動部１９を作動させることで、fasciaにリフトアップ効果等を及ぼすことができる。これ以外のマッサージ用治具１ｂの構成、作用及び効果は、マッサージ用治具１の構成、作用及び効果と同様である。
【００４５】
なお、本発明に係るマッサージ用治具は、実施例に示すものに限定されない。例えば、マッサージ用治具１，１ａ，１ｂにおいて、電動部９，１８として、遊星歯車機構が採用されても良い。また、可撓性材２のタイプＡ硬度は、２０度乃至８０度の範囲内であれば、マッサージ用治具１，１ａ，１ｂにおいて用いられるタイプＡ硬度が３０度乃至４０度以外の可撓性材２でも良い。この場合、痛みの強さや位置といった症状に合わせて、タイプＡ硬度を選択できる。例えば、身体の深部で強い痛みがあるといった場合には、より強いタイプＡ硬度を選択すると良い。さらに、筐体１０は、取付部８，２５及び電動部９，１８の双方を収容可能であっても良い。また、電動部９のピニオン１３と、ラック１４が省略されて軸体１２ａに取付部８が直接取り付けられることで、回動モーター１２の往復回動により保持端２Ｂを表面５０に対して円弧軌道を描いて往復運動可能に構成されても良く、この場合、筐体１０及び軸体１２ａはそれぞれの長手方向が可撓性材２の長軸方向に対して直交するように配置される。
【産業上の利用可能性】
【００４６】
本発明は、身体をマッサージするためのマッサージ用治具として利用可能である。
【符号の説明】
【００４７】
１，１ａ，１ｂ…マッサージ用治具  ２…可撓性材  ２Ａ…接触端  ２Ｂ…保持端  ２Ｃ…体部  ２ａ…長辺  ２ｂ…最大面  ３…保持体  ４…第１の頂部  ４ａ…第１の辺  ４ｂ…第１の斜辺  ５…第２の頂部  ５ａ…第２の辺  ５ｂ…第２の斜辺  ６,７…可撓性材  ８…取付部  ８ａ…嵌合部  ９…電動部  １０，１０´…筐体  １０ａ，１０ａ´…開口部  １１…バッテリー  １２…回動モーター  １２ａ…軸体  １３…ピニオン  １４…ラック  １４ａ…基部  １４ｂ…噛合部  １５…ガイドレール  １６…取付部  １７…嵌合部  １７ａ…第１の嵌合部  １７ｂ…第２の嵌合部  １８…電動部  １９…回動モーター  １９ａ…軸体  ２０…クランクアーム  ２１…クランクピン  ２２…スライダー  ２２ａ…一端  ２２ｂ…他端  ２３…ピン  ２３ａ…先端  ２４…ガイドレール  ２４ａ…スリット  ２５…取付部  ２６…柄部  ２６ａ…一端  ２６ｂ…他端  ２７…嵌合体  ２７ａ…嵌合部  ５０…表面
【図１】
2020058655.tif 000003
【図２】
2020058655.tif 000004
【図３】
2020058655.tif 000005
【図４】
2020058655.tif 000006
【図５】
2020058655.tif 000007
【図６】
2020058655.tif 000008
【図７】
2020058655.tif 000009
【図８】
2020058655.tif 000010
【図９】
2020058655.tif 000011
【図１０】
2020058655.tif 000012
【図１１】
2020058655.tif 000013